(57)【要約】【課題】ＬＴＥ／ＬＴＥ−Ａｄｖａｎｃｅｄのダウンリンクおよびアップリンクに対する、ＷＴＲＵに特有なパイロット信号の送信、およびＷＴＲＵに特有なパイロット信号の電力の増大のための方法および装置を提供する。【解決手段】無線送受信ユニット（ＷＴＲＵ）によって実行される、特有な参照信号を処理する方法は、ＰＤＳＣＨを構成する複数の時間／周波数ＲＥ（リソース要素）を含むＯＦＤＭＡ信号を受信するステップであって、ＲＥの一部はＷＴＲＵに特有な参照信号を伝達するために割り当てられる、ステップと、ＷＴＲＵに特有な参照信号を異なるレイヤ上で送信するステップであって、ＷＴＲＵに特有な参照信号は相互に直交である、ステップを備える。ＷＴＲＵに特有な参照信号に割り当てられるＲＥの位置および量は、ランクに基づいて決定される。ＷＴＲＵに特有な参照信号は、符号分割多重化を使用して多重化される。【選択図】図２
2014187696.tif 000002
【特許請求の範囲】
【請求項１】
無線送受信ユニット（ＷＴＲＵ）によって実行される、特有な参照信号を処理する方法であって、
前記方法は、
ＰＤＳＣＨ（physical downlink shared channel）を構成する複数の時間／周波数ＲＥ（リソース要素）を含むＯＦＤＭＡ（orthogonal frequency division multiple access）信号を受信するステップであって、前記ＲＥの一部は、ＷＴＲＵに特有な参照信号を伝達するために割り当てられる、ステップと、
前記ＷＴＲＵに特有な参照信号を異なるレイヤ上で送信するステップであって、前記ＷＴＲＵに特有な参照信号は相互に直交である、ステップと
を備え、
前記ＷＴＲＵに特有な参照信号に割り当てられるＲＥの位置および量は、ランクに基づいて決定され、
前記ＷＴＲＵに特有な参照信号は、符号分割多重化を使用して多重化されることを特徴とする方法。
【請求項２】
ＷＴＲＵに特有な参照信号をプレコードするステップと、
ＰＵＳＣＨ（Physical Uplink Shared Channel）を構成する複数のＲＥを含むＯＦＤＭＡ信号を送信するステップであって、前記ＲＥの一部は、前記プレコードされたＷＴＲＵに特有な参照信号を伝達するために割り当てられる、ステップと
をさらに備えることを特徴とする請求項１に記載の方法。
【請求項３】
前記ＷＴＲＵに特有な参照信号の使用のために割り当てられるＲＥの位置および量はまた、割り当てられる帯域幅に基づいて決定されることを特徴とする請求項１に記載の方法。
【発明の詳細な説明】
【技術分野】
【０００１】
この出願は無線通信に関する。
【背景技術】
【０００２】
ＬＴＥ（Long Term Evolution）のダウンリンク（ＤＬ）波形は、時間に関してはＯＦＤＭ（Orthogonal Frequency Division Multiplexing：直交周波数分割多重）のシンボルによって、および周波数に関しては副搬送波によって形成される特定の時間および周波数格子（grid）により定義される１式のＲＥ（Resource Element：リソース要素）より成る、ＯＦＤＭＡ（Orthogonal Frequency Division Multiple Access：直交周波数分割多元接続）信号である。ＲＥは、リソース・ブロック（ＲＢ）に配置される。それぞれのリソース・ブロックは、パイロット信号を構成するＣＲＳ（Common Reference Signal：共通参照信号）ＲＥを含む。ＣＲＳ  ＲＥは、チャネル推定を実行するためにＣＲＳ  ＲＥが全ての無線送受信ユニット（ＷＴＲＵ）に共通でありかつ利用可能であらねばならないため、構成設定されたシステムの帯域幅全体に同一電力により送信される。
【０００３】
図１は、４本までの送信（Ｔｘ）アンテナのＬＴＥ  Ｒ８に対するＣＲＳの配置を示す。ビーム形成（beamforming）を使用しないマルチアンテナ送信に対しては、アンテナ毎のチャネル推定が実行可能なように、各アンテナからのパイロットが識別可能であらねばならない。このために、図１に表現されるように、異なった時間／周波数のリソース要素にパイロットを配置することによって、パイロットが本質的には直交するようにする。パイロット信号またはＣＲＳに対しては、ＦＤＭ（Frequency Division Multiplexing：周波数分割多重化）およびＴＤＭ（Time Division Multiplexing：時分割多重化）を結合して使用することにより、セル内干渉をほとんど排除することが可能である。
【０００４】
最適なパイロット／データ電力比がセル中にて固定されていることが認められている。しかしながら、ＷＴＲＵ単位にはＣＲＳを変更することができないため、その比率を適切に変更する能力は限定されている。それぞれのＯＦＤＭシンボルに対して、ＰＤＳＣＨ（Physical Downlink Shared Channel）  ＲＥ群中のセルに特有なＲＳ（Reference Signal：参照信号）ＥＰＲＥ（Energy Per RE：ＲＥあたりのエネルギー）（ＥＰＲＥがゼロのＰＤＳＣＨ  ＲＥには適用されない）に対するＰＤＳＣＨ  ＥＰＲＥの比率は、ＯＦＤＭシンボル・インデックスに従って、ρAおよびρBの何れかで表される。さらに、ρAおよびρBはＷＴＲＵに特有である。ρAは、上位レイヤより信号送出されたＷＴＲＵに特有なパラメータＰAを使用することによって決定され、そしてρB／ρAは、上位レイヤによって信号送出されたセルに特有なパラメータＰBおよび構成設定されたｅノードＢセルに特有なアンテナ・ポートの数に従うセルに特有な比率である。ＰＤＳＣＨ／セルに特有なＲＳ電力の比率は、信号送出されるパラメータＰAおよびＰBによって決定されるが、ＰＤＳＣＨ／ＲＳ比を増加するかまたは減少させるために利用可能な唯一の機構が、固定的パイロット電力に対してデータ電力を上げるかまたは下げることであり、これはセルの縁の性能を改善するために「ＲＳ電力の増大（RS power boosting）」と呼ばれてきたことの逆であるだけであり、これでは不十分である。
【０００５】
ＷＴＲＵに特有なパイロット信号を送信し、およびＷＴＲＵに特有なパイロット信号の電力を増大させるための方法および装置が必要である。
【発明の概要】
【０００６】
ＬＴＥ／ＬＴＥ−Ａ（LTE-Advanced）のダウンリンク（ＤＬ）およびアップリンク（ＵＬ）に対する、ＷＴＲＵに特有なパイロット信号の送信、およびＷＴＲＵに特有なパイロット信号の電力の増大のための方法および装置が開示される。方法および装置は、パイロット信号として追加的ＲＥを割り当てることにより、それを必要とするＷＴＲＵ（例えばセルの縁のＷＴＲＵ）に対してチャネル推定を向上させることによって、パイロット信号の送信およびパイロット信号電力の増大を改良する。方法および装置はまた、追加的ＥＲＳの送出、および特定のＷＴＲＵのＰＤＣＣＨ（Physical Downlink Control Channel）またはＰＤＳＣＨに対して使用されるＲＥのパンクチャリング（puncturing）を含む。
【図面の簡単な説明】
【０００７】
添付図面とともに例として与えられる以下の説明から詳細な理解を得ることができる。
【図１】ＬＴＥ  Ｒ８における共通パイロット信号の配置を示す図である。
【図２】最大４レイヤを有するＷＴＲＵに特有な参照信号に対するサンプルのパターンを示す図である。
【図３】ｅノードＢのブロック図の一例を示す図である。
【図４】ＷＴＲＵのブロック図の一例を示す図である。
【発明を実施するための形態】
【０００８】
本明細書においては、用語「無線送受信ユニット（ＷＴＲＵ）」は、限定的ではなく、ユーザ端末（ＵＥ）、移動局、固定型または移動体の加入者ユニット、ページャー、携帯電話、ＰＤＡ（Personal Digital Assistant）、コンピュータ、または無線環境において動作可能な他の任意の種別のユーザ・デバイスを含む。
【０００９】
本明細書においては、用語「ｅＮｏｄｅＢ（evolved Node-B：ｅノードＢ）」は、限定的ではなく、基地局、サイト制御装置、アクセスポイント（ＡＰ）、または無線環境において動作可能な他の任意の種別のインターフェイス・デバイスを含む。
【００１０】
改良されたチャネル推定を必要とするＷＴＲＵ（例えばセルの縁のＷＴＲＵ）に対する機構が提供され、それによりＷＴＲＵに特有な参照信号／パイロットとして追加的ＲＥが割り当てられる。これらの追加的ＲＥは、ＥＲＳ（Expanded Reference Signal：拡張参照信号）と定義することが可能である。Ｒ８においては、ＷＴＲＵに特有なＲＳはただ一つの転送モード（モード７）に対してのみ使用され、そしてデータ送信の１つのレイヤのみを支援する（単一レイヤ・ビーム形成）。これらのパイロットは、ＤＲＳ（Dedicated Reference Signal：個別参照信号）であり、そしてポート５を介して送信され（、そしてデータと同一な方法にてビーム形成され）る。簡単にいえば、Ｒ８においてＷＴＲＵに特有なＲＳとして定義されるＲＥのいくつかまたは全てをＥＲＳとして使用可能である。
【００１１】
Ｒ８においては、データ復調は共通ＲＳにより達成される。Ｒｌ０およびその後のリリースにおいては、ただ一つの送信モードに対してではなく、全てのＭＩＭＯ転送モードおよび他のタイプの転送モードに対しても、ＷＴＲＵに特有なＲＳによりデータ復調を達成することができる。これらの新しいＷＴＲＵに特有なＲＳ（すなわち、ＥＲＳ）は、単独にてまたはＣＲＳに追加して送信することができ、そしてＰＤＳＣＨと同一の方法にてプレコードされる（precoded）場合があり、または全くプレコードされない場合がある。
【００１２】
ＥＲＳ（拡張参照信号）は、時間−周波数および／または拡散符号分割（spreading code division）を確実にするために配置される。ＥＲＳに対する電力レベルは、それらが他のＷＴＲＵによって使用されることにならないため、ＣＲＳと同一電力である必要はない。ＥＲＳの電力は、ＰAおよび／またはＰB、または他の新しい固定的、セルに特有の、またはＷＴＲＵに特有のパラメータにより決定することができる。ＥＲＳの数、送信電力、および時間−周波数位置は、固定的であるか、またはブロードキャスト、Ｌ２（レイヤ２）／Ｌ３（レイヤ３）信号方式、Ｌ１（レイヤ１）信号方式、またはその組み合わせにより、信号送出することができる。例えばＥＲＳの可能な位置は、固定的であるか、またはブロードキャスト・チャネルを介して半静的に更新可能であるかの何れかである。
【００１３】
ＷＴＲＵに特有なＥＲＳとして使用されるために割り当てられるＲＥの数は、伝送パラメータ（例えばＭＩＭＯモード／ランク）に依存して固定的であるか、または無線リソース管理（ＲＲＣ）信号方式の一部であるか、の何れかである。電力レベルはＰＡの関数であることができる（例えばＰA＋ＰE、ここでＰEはＷＴＲＵまたはセルに特定なパラメータであり、ＲＲＣ信号方式により信号送出可能である）。ＰEに対する可能な値は、負の無限大（−ＩＮＦ）、０ｄＢ、３ｄＢ、または６ｄＢとして定義することができ、ここで−ＩＮＦは、ＥＲＳが「オフ」であり、そしてＥＲＳに対してＲＥが指定されないことを暗示することができることに注意されたい。設計のために望まれるなら、ＰEに対して、他の値をもまた使用することができる。
【００１４】
ＥＲＳを使用するために割り当てられるＲＥの可能な位置および数は、ＷＴＲＵ（または、ＷＴＲＵのグループ）の幾何学的配列（または目標とするＱｏＳ（サービス品質）に基づき決定することができる。したがって、ＳＩＮＲ（Signal-to-Interference and Noise Ratio：信号対干渉および雑音比）が高い密な（high）幾何学的配列のＷＴＲＵに対しては、ＥＲＳに対して少数のＲＥを割り当てることができ、一方ＳＩＮＲが低い疎な（low）幾何学的配列ＷＴＲＵに対しては、ＥＲＳに対してより多くのＲＥを割り当てることができる。
【００１５】
ＥＲＳに対する構成設定は、割り当てられる帯域幅（ＢＷ）（例えばＲＥの数）、および／またはＷＴＲＵに対して使用される、レイヤ（またはストリーム）の数、ランク、ＭＩＭＯ（多入力多出力）モード、または協調モード（cooperation mode）などの、ＭＩＭＯ構成設定の関数であることができる。一例として、上位ランクを持つＭＩＭＯ送信が行われる場合には、ＷＴＲＵに特有なＥＲＳとして、より多くのＲＥを使用することが可能であり、そして下位ランクを持つＭＩＭＯ送信が行われる場合には、ＷＴＲＵに特有なＥＲＳとして、より少ないＲＥのみを使用することができる。異なったデータ・ストリーム（レイヤ）の復調のために構成設定されたＥＲＳは、互いに直交するべきである。直交性は、異なったＲＥ上では時間および／または周波数多重化の使用を通してこれらのＥＲＳを送信し、同一のＲＥ上では符号分割多重化の使用を通してこれらのＥＲＳを送信し、またはこれらの技法の組み合わせを使用することによって、達成することができる。
【００１６】
図２において、４レイヤまでに対するＥＲＳパターンが示される１つのサンプル構成設定が例証される。レイヤ１およびレイヤ２に対して構成設定されたＥＲＳは、レイヤ３およびレイヤ４に対するＥＲＳと同様に、符号分割多重化される（直交拡散符号により２つのレイヤに対するＥＲＳを２つのＲＥに亘って拡散することによる）。２組のＥＲＳ、すなわちレイヤ１〜２およびレイヤ３〜４に対して、異なったＲＥが使用される。図２においては、ＥＲＳを伝達するために使用される、レイヤ１および２に対して１２の、並びにレイヤ３および４に対して１２の、合計２４のＲＥが示される。別の数のレイヤに対しては別のＥＲＳ構成設定を使用することができる。例えば、２つまでのレイヤに対しては、２つのＥＲＳを伝達するために１２のＲＥのみを使用することができる。
【００１７】
ＥＲＳを送るための別の方法は、特定のＷＴＲＵのＰＤＣＣＨに対して使用されるＲＥをパンクチャーする（puncture）ことである。この場合には、制御チャネル・データを復号しようとしている間にＷＴＲＵがこれらのＲＥを無視可能なように、パンクチャリング・パターンはＷＴＲＵにとって既知である。追加的ＥＲＳを必要とするＷＴＲＵの制御チャネルのみがパンクチャーされる。これらのＷＴＲＵはＥＲＳとして使用されるＲＥを無視し、そして制御チャネル中に残存するＲＥを使用することによって、制御データを復号することになる。あるＷＴＲＵに対して使用される制御チャネルを残存するＷＴＲＵが復号することはできない（パンクチャーされているか否かにかかわらず）ため、これは他のＷＴＲＵにとってはトランスペアレントである。ＥＲＳの数、送信電力、および時間−周波数位置は、ブロードキャスト、Ｌ２／Ｌ３信号方式、またはそれらの組み合わせにより信号送出することが可能である。
【００１８】
したがって、ＰＤＳＣＨまたはＰＤＣＣＨに対して使用されるＲＥ上にて参照信号を送信することができ、それによりＷＴＲＵがサブ−フレーム中の参照信号の位置を知り、参照信号を検出し、そしてチャネルを推定することができる。参照信号がプレコードされるなら、ＥＲＳとして割り当てられるＲＥ上でのそして所与の受信アンテナに対して受信される信号を、
ｒ＝ｈｗｓ＋ｎ          式（１）、
として書くことが可能である。ここでｈは、ｅノードＢでの受信アンテナおよび送信アンテナの間のチャネル・ベクトル、ｗは、既知のパイロットｓに乗じるプレコード・ベクトル、ｎは付加的雑音である。この場合には、ＷＴＲＵは、ＥＲＳを使用することによって、チャネルｈｗの有効な評価をすることができる。
【００１９】
ＥＲＳの数および位置を明示的に信号送出することの代替として、ＥＲＳの使用方法は、動作モード、および／または既に使用された他の信号方式から暗示させることができる。例えば、ＴＴＩ（Transmission Time Interval：送信時間間隔）バンドリングが使用される場合には、常にＥＲＳが使用されるし、またＣＱＩに基づき、例えば直近のＮ回の報告されたＣＱＩ（Channel Quality Indicator：チャネル品質インジケータ）が閾値を下回る場合には、ｅノードＢはＥＲＳの使用を増加させる。直近のＭ回の報告されたＣＱＩが別の閾値を上回る場合には、ｅノードＢはＥＲＳの使用を減少させる。
【００２０】
ＣＱＩの定義はまた、ｅノードＢおよびＷＴＲＵの間で一致することを必要とする。いくつかの可能性がある：
１）報告されたＣＱＩが、ＥＲＳが存在しないという仮定に基づく。
２）報告されたＣＱＩが、全てのＥＲＳが存在するという仮定に基づく。
３）報告されたＣＱＩが、直近に構成設定されたＥＲＳが存在するという仮定に基づく。
４）報告されたＣＱＩが、直近に使用されたＥＲＳが存在するという仮定に基づく。
ＣＱＩ値を計算するためにはＷＴＲＵに特有なＥＲＳを使用することができることに注意されたい。
【００２１】
ＥＲＳを有するＴＴＩにおけるＰＤＳＣＨ（Physical Downlink Shared Channel）データの多重化およびマッピングは、ＥＲＳの存在および位置を知ることにより適切に実行することができる。１つの方法は、ＥＲＳの周りにデータを多重化しそしてマッピングすることである。この方法は、参照信号の存在および／または位置がＷＴＲＵに既知である場合に、使用することが可能である。ＷＴＲＵは、参照信号を伝達するために使用されるＲＥ上にデータが存在するとは仮定しないであろう。あるいはまた、ＷＴＲＵに特有なＥＲＳはＴＴＩにおいては存在しないかのように、データをＲＥに多重化し、マッピングすることができる。そして、予め定められたＥＲＳ  ＲＥにおいてデータをパンクチャーする（置き替える）ためにＥＲＳを使用することができる。この方法は、参照信号の存在および／または位置がＷＴＲＵに既知ではない場合に使用することが可能である。この場合にはＷＴＲＵは、参照信号を伝達するために使用されるＲＥ上にデータが存在すると仮定することになる。
【００２２】
ＥＲＳはまた、可能性としてブロードキャストおよび／またはＬ２／Ｌ３信号方式に含まれるＥＲＳの位置により、半静的な方法にてシステムＢＷの全てまたは一部に亘ってより全体的に構成設定することができる。あるいはまた、ＥＲＳの位置および構成設定は、Ｒ８におけるＣＲＳについて為されるように、標準化され、そして常に固定的である場合がある。このように一貫して、より広範囲でそして全てのＷＴＲＵによりＥＲＳを使用することができる。
【００２３】
図３は、ｅノードＢ３００のブロック図の一例である。ｅノードＢ３００は、ＭＩＭＯアンテナ３０５、受信機３１０、処理装置３１５および送信機３２０を含む。ＭＩＭＯアンテナ３０５は、アンテナ素子３０５1、３０５2、３０５3、および３０５4を含む。図３においては４つのアンテナ素子のみが表現されるが、８つまたはそれ以上のアンテナ素子への拡張を実施することができ、そしてそれは当業者にとって自明であるべきである。
【００２４】
ダウンリンク（ＤＬ）に対しては、ｅノードＢ３００における処理装置３１５が、ＷＴＲＵに特有な参照信号を生成し、そして参照信号を伝達するために割り当てられるＲＥに生成した信号をマッピングするように構成設定される。処理装置はまた、ＷＴＲＵに特有な参照信号をプレコードすることができる。ｅノードＢ３００における送信機３２０は、ＰＤＳＣＨまたはＰＤＣＣＨを構成する複数の時間／周波数ＲＥを含むＯＦＤＭＡ信号を送信するように構成設定され、そこではプレコードされたＷＴＲＵに特有な参照信号を伝達するためにＲＥの一部が割り当てられる。
【００２５】
アップリンク（ＵＬ）に対しては、ｅノードＢ３００における受信機３１０が、ＰＵＳＣＨ（Physical Uplink Shared Channel）またはＰＵＣＣＨ（Physical Uplink Control Channel）を構成する複数の時間／周波数ＲＥを含む少なくとも１つのＷＴＲＵからのＯＦＤＭＡ信号を受信するように構成設定され、そこではまたプレコードされる場合があるＷＴＲＵに特有な参照信号を伝達するためにＲＥの一部が割り当てられる。ｅノードＢ３００における処理装置３１５は、ＷＴＲＵに特有な参照信号に基づきチャネル推定を実行するように構成設定することができる。
【００２６】
図４は、ＷＴＲＵ４００のブロック図の一例である。ＷＴＲＵ４００は、ＭＩＭＯアンテナ４０５、受信機４１０、処理装置４１５および送信機４２０を含む。ＭＩＭＯアンテナ４０５は、アンテナ素子４０５1、４０５2、４０５3、および４０５4を含む。図４においては４つのアンテナ素子のみが表現されるが、８つまたはそれ以上のアンテナ素子への拡張を実施することができ、そしてそれは当業者にとって自明であるべきである。
【００２７】
ダウンリンク（ＤＬ）に対しては、ＷＴＲＵ４００における受信機４１０が、ＰＤＳＣＨを構成する複数の時間／周波数ＲＥを含むｅノードＢ３００からのＯＦＤＭＡ信号を受信するように構成設定され、そこではプレコードされている場合があるＷＴＲＵに特有な参照信号を伝達するためにＲＥの一部が割り当てられる。ＷＴＲＵ４００における処理装置４１５は、ＷＴＲＵに特有な参照信号に基づきチャネル推定を実行するように構成設定される。
【００２８】
アップリンク（ＵＬ）に対しては、ＷＴＲＵ４００における処理装置４１５が、ＷＴＲＵに特有な参照信号をプレコードするように構成設定され、そしてＷＴＲＵ４００における送信機４２０は、ＰＵＳＣＨを構成する複数の時間／周波数ＲＥを含むＯＦＤＭＡ信号を送信するように構成設定されることができ、そこではプレコードされている場合があるプレコードされたＷＴＲＵに特有な参照信号を伝達するためにＲＥの一部が割り当てられる。
【００２９】
ＷＴＲＵに特有な参照信号を使用するために割り当てられるＲＥの位置および量は、そのＷＴＲＵが高いＳＩＮＲを持つかまたは低いＳＩＮＲを持つかという条件に基づき決定することができる。ＷＴＲＵに特有な参照信号を使用するために割り当てられるＲＥの位置および量はまた、割り当てられる帯域幅、ＭＩＭＯ構成設定、使用されるレイヤまたはストリーム、使用されるランク、ＭＩＭＯモードまたは協調モードに基づき決定することができる。
【００３０】
複数のレイヤに対するパターンにてＷＴＲＵに特有な参照信号を構成設定することができる。レイヤの特定の１つに対して構成設定されるＷＴＲＵに特有な参照信号は、時分割多重化、周波数分割多重化、または符号分割多重化の内の少なくとも１つを使用して多重化することができる。
【００３１】
異なったデータ・ストリームまたはレイヤの復調のために構成設定されるＷＴＲＵに特有な参照信号は、互いに直交させることができる。
【００３２】
ＣＱＩを計算するためには、ＷＴＲＵに特有な参照信号を使用することができる。ＷＴＲＵは、ＷＴＲＵに既知のＷＴＲＵに特有な参照信号の存在をＣＱＩの根拠とすることができる。
【００３３】
ＴＴＩにおけるＰＤＳＣＨデータは、ＷＴＲＵに特有な参照信号を伝達するために割り当てられるＲＥの部分の周りに多重化しそしてマッピングすることができる。
【００３４】
ＴＴＩにおけるＰＤＳＣＨデータは、参照信号を伝達するために割り当てられるＲＥに多重化しそしてマッピングすることができる。次にＲＥをパンクチャーし、そしてＲＥにおけるデータを参照信号と置き替える。
【００３５】
ＷＴＲＵ４００における受信機４１０は、ＰＤＣＣＨを構成する複数の時間／周波数ＲＥを含むｅノードＢ３００からのＯＦＤＭＡ信号を受信するように構成設定され、そこではプレコードされている場合があるＷＴＲＵに特有な参照信号を伝達するためにＲＥの一部が割り当てられる。ＷＴＲＵ４００における処理装置４１５は、追加的なＷＴＲＵに特有な参照信号がＰＤＳＣＨまたはＰＤＣＣＨによって必要とされるという条件においてＰＤＣＣＨのＲＥの内の特定の１つをパンクチャーするように構成設定することができ、そこではＷＴＲＵは、ＷＴＲＵに特有な参照信号を伝達するために割り当てられたＲＥを無視し、そしてＰＤＣＣＨ中に残存するＲＥを使用することによって、制御データを復号する。
【００３６】
実施形態
１．無線送受信ユニット（ＷＴＲＵ）によって実行される、特有な参照信号を処理する方法であって、
ＰＤＳＣＨを構成する複数の時間／周波数ＲＥ（リソース要素）を含むＯＦＤＭＡ信号を受信するステップであって、前記ＲＥの一部が、前記ＷＴＲＵに特有な参照信号を伝達するために割り当てられる、ステップと、
前記ＷＴＲＵに特有な参照信号に基づきチャネル推定を実行するステップと
を備えることを特徴とする方法。
【００３７】
２．前記ＷＴＲＵに特有な参照信号がプレコードされることを特徴とする実施形態１に記載の方法。
【００３８】
３．ＷＴＲＵに特有な参照信号をプレコードするステップと、
ＰＵＳＣＨを構成する複数のＲＥを含むＯＦＤＭＡ信号を送信するステップであって、前記ＲＥの一部が、前記プレコードされたＷＴＲＵに特有な参照信号を伝達するために割り当てられる、ステップと
をさらに備えることを特徴とする実施形態１〜２の何れか１つに記載の方法。
【００３９】
４．前記ＷＴＲＵに特有な参照信号の使用のために割り当てられるＲＥの位置および量が、前記ＷＴＲＵが高いＳＩＮＲを持つという条件に基づき決定されることを特徴とする実施形態１〜３の何れか１つに記載の方法。
【００４０】
５．前記ＷＴＲＵに特有な参照信号の使用のために割り当てられるＲＥの位置および量が、前記ＷＴＲＵが低いＳＩＮＲを持つという条件に基づき決定されることを特徴とする実施形態１〜４の何れか１つに記載の方法。
【００４１】
６．前記ＷＴＲＵに特有な参照信号の使用のために割り当てられるＲＥの位置および量が、割り当てられる帯域幅に基づき決定されることを特徴とする実施形態１〜５の何れか１つに記載の方法。
【００４２】
７．前記ＷＴＲＵに特有な参照信号の使用のために割り当てられるＲＥの位置および量が、ＭＩＭＯ構成設定に基づき決定されることを特徴とする実施形態１〜６の何れか１つに記載の方法。
【００４３】
８．前記ＷＴＲＵに特有な参照信号の使用のために割り当てられるＲＥの位置および量が、使用されるレイヤまたはストリームに基づき決定されることを特徴とする実施形態１〜７の何れか１つに記載の方法。
【００４４】
９．前記ＷＴＲＵに特有な参照信号の使用のために割り当てられるＲＥの位置および量が、使用されるランク、ＭＩＭＯモード、または協調モードに基づき決定されることを特徴とする実施形態１〜８の何れか１つに記載の方法。
【００４５】
１０．前記ＷＴＲＵに特有な参照信号が、複数のレイヤに対するパターンにて構成設定されることを特徴とする実施形態１〜９の何れか１つに記載の方法。
【００４６】
１１．前記レイヤの特定の１つに対して構成設定されたＷＴＲＵに特有な参照信号が、時分割多重化、周波数分割多重化、または符号分割多重化の内の少なくとも１つを使用して多重化されることを特徴とする実施形態１０に記載の方法。
【００４７】
１２．異なったデータ・ストリームまたはレイヤの復調のために構成設定された前記ＷＴＲＵに特有な参照信号が、互いに直交することを特徴とする実施形態１〜１１の何れか１つに記載の方法。
【００４８】
１３．ＣＱＩを計算するために前記ＷＴＲＵに特有な参照信号を使用するステップをさらに備えることを特徴とする実施形態１〜１２の何れか１つに記載の方法。
【００４９】
１４．前記ＷＴＲＵが、前記ＷＴＲＵに既知の前記ＷＴＲＵに特有な参照信号の存在を前記ＣＱＩの根拠とすることを特徴とする実施形態１３に記載の方法。
【００５０】
１５．前記ＷＴＲＵに特有な参照信号を伝達するために割り当てられるＲＥの一部の周りにＴＴＩにおけるＰＤＳＣＨデータを多重化し、マッピングするステップをさらに備えることを特徴とする実施形態１〜１４の何れか１つに記載の方法。
【００５１】
１６．参照信号を伝達するために割り当てられるＲＥにＴＴＩにおけるＰＤＳＣＨデータを多重化し、マッピングするステップと、
前記ＲＥをパンクチャーするステップと、
前記データを参照信号と置き替えるステップと
をさらに備えることを特徴とする実施形態１〜１５の何れか１つに記載の方法。
【００５２】
１７．無線送受信ユニット（ＷＴＲＵ）によって実行される、特有な参照信号を処理する方法であって、
ＰＤＣＣＨに対して使用される複数の時間／周波数ＲＥ（リソース要素）を含むＯＦＤＭＡ信号を受信するステップであって、前記ＲＥの一部は、前記ＷＴＲＵに特有な参照信号を伝達するために割り当てられる、ステップと、
追加的なＷＴＲＵに特有な参照信号が前記ＰＤＣＣＨによって必要とされるという条件において前記ＲＥの内の特定の１つをパンクチャーするステップであって、前記ＷＴＲＵが、前記ＷＴＲＵに特有な参照信号を伝達するために割り当てられる前記ＲＥを無視する、ステップと、
前記ＰＤＣＣＨ中に残存するＲＥを使用することによって、制御データを復号するステップと
を備えることを特徴とする方法。
【００５３】
１８．前記ＷＴＲＵに特有な参照信号が、プレコードされることを特徴とする実施形態１７に記載の方法。
【００５４】
１９．特有な参照信号を処理する無線送受信ユニット（ＷＴＲＵ）であって、
ＰＤＳＣＨを構成する複数の時間／周波数ＲＥ（リソース要素）を含むＯＦＤＭＡ信号を受信するように構成設定される受信機であって、前記ＲＥの一部は、前記ＷＴＲＵに特有な参照信号を伝達するために割り当てられる、受信機と、
前記ＷＴＲＵに特有な参照信号に基づきチャネル推定を実行するように構成設定される処理装置と
を備えたことを特徴とするＷＴＲＵ。
【００５５】
２０．前記ＷＴＲＵに特有な参照信号が、プレコードされることを特徴とする実施形態１９に記載のＷＴＲＵ。
【００５６】
２１．前記処理装置は、前記ＷＴＲＵに特有な参照信号をプレコードするようにさらに構成設定され、
ＰＵＳＣＨを構成する複数のＲＥを含むＯＦＤＭＡ信号を送信するように構成設定される送信機であって、前記ＲＥの一部は、前記プレコードされたＷＴＲＵに特有な参照信号を伝達するために割り当てられる、送信機と
をさらに備えたことを特徴とする実施形態１９〜２０の何れか１つに記載のＷＴＲＵ。
【００５７】
２２．前記ＷＴＲＵに特有な参照信号の使用のために割り当てられるＲＥの位置および量が、前記ＷＴＲＵが高いＳＩＮＲを持つという条件に基づき決定されることを特徴とする実施形態１９〜２１の何れか１つに記載のＷＴＲＵ。
【００５８】
２３．前記ＷＴＲＵに特有な参照信号の使用のために割り当てられるＲＥの位置および量が、前記ＷＴＲＵが低いＳＩＮＲを持つという条件に基づき決定されることを特徴とする実施形態１９〜２２の何れか１つに記載のＷＴＲＵ。
【００５９】
２４．前記ＷＴＲＵに特有な参照信号の使用のために割り当てられるＲＥの位置および量が、割り当てられる帯域幅に基づき決定されることを特徴とする実施形態１９〜２３の何れか１つに記載のＷＴＲＵ。
【００６０】
２５．前記ＷＴＲＵに特有な参照信号の使用のために割り当てられるＲＥの位置および量が、ＭＩＭＯ構成設定に基づき決定されることを特徴とする実施形態１９〜２４の何れか１つに記載のＷＴＲＵ。
【００６１】
２６．前記ＷＴＲＵに特有な参照信号の使用のために割り当てられるＲＥの位置および量が、使用されるレイヤまたはストリームに基づき決定されることを特徴とする実施形態１９〜２５の何れか１つに記載のＷＴＲＵ。
【００６２】
２７．前記ＷＴＲＵに特有な参照信号の使用のために割り当てられるＲＥの位置および量が、使用されるランク、ＭＩＭＯモード、または協調モードに基づき決定されることを特徴とする実施形態１９〜２６の何れか１つに記載のＷＴＲＵ。
【００６３】
２８．前記ＷＴＲＵに特有な参照信号が、複数のレイヤに対するパターンにて構成設定されることを特徴とする実施形態１９〜２７の何れか１つに記載のＷＴＲＵ。
【００６４】
２９．前記レイヤの内の特定の１つに対して構成設定されるＷＴＲＵに特有な参照信号が、時分割多重化、周波数分割多重化、または符号分割多重化の内の少なくとも１つを使用して多重化されることを特徴とする実施形態２８に記載のＷＴＲＵ。
【００６５】
３０．異なったデータ・ストリームまたはレイヤの復調に対して構成設定される前記ＷＴＲＵに特有な参照信号が、互いに直交することを特徴とする実施形態１９〜２９の何れか１つに記載のＷＴＲＵ。
【００６６】
３１．さらに前記ＷＴＲＵに特有な参照信号が、ＣＱＩを計算するために使用されることを特徴とする実施形態１９〜３０の何れか１つに記載のＷＴＲＵ。
【００６７】
３２．前記ＷＴＲＵが、前記ＷＴＲＵに既知の前記ＷＴＲＵに特有な参照信号の存在を前記ＣＱＩの根拠とすることを特徴とする実施形態３１に記載のＷＴＲＵ。
【００６８】
３３．前記ＷＴＲＵに特有な参照信号を伝達するために割り当てられるＲＥの一部の周りにＴＴＩにおけるＰＤＳＣＨデータを多重化し、マッピングすることを特徴とする実施形態１９〜３２の何れか１つに記載のＷＴＲＵ。
【００６９】
３４．前記処理装置が、参照信号を伝達し、前記ＲＥをパンクチャーし、そして前記データを参照信号と置き替えるために割り当てられる前記ＲＥにＴＴＩにおけるＰＤＳＣＨデータを多重化し、マッピングするようにさらに構成設定されることを特徴とする実施形態１９〜３３の何れか１つに記載のＷＴＲＵ。
【００７０】
３５．特有な参照信号を処理する無線送受信ユニット（ＷＴＲＵ）であって、
ＰＤＣＣＨに対して使用される複数の時間／周波数ＲＥ（リソース要素）を含むＯＦＤＭＡ信号を受信するように構成設定される受信機であって、前記ＲＥの一部は、前記ＷＴＲＵに特有な参照信号を伝達するために割り当てられる、受信機と、
追加的なＷＴＲＵに特有な参照信号が前記ＰＤＣＣＨによって必要とされるという条件において前記ＲＥの内の特定の１つをパンクチャーするように構成設定される処理装置であって、前記ＷＴＲＵが、前記ＷＴＲＵに特有な参照信号を伝達するために割り当てられた前記ＲＥを無視し、前記ＰＤＣＣＨ中に残存するＲＥを使用することによって制御データを復号する、処理装置と
を備えたことを特徴とするＷＴＲＵ。
【００７１】
特徴および要素が上記で特定の組み合わせにて記述されているが、それぞれの特徴または要素は、他の特徴および要素なしで単独にて、または他の特徴および要素のあるなしに拘わらず様々な組み合わせにて使用することができる。ここに提供される方法またはフロー図は、汎用のコンピュータまたは処理装置による実行のための、コンピュータ読み取り可能な記憶媒体に組み込まれたコンピュータ・プログラム、ソフトウェア、またはファームウェアにて実施することができる。コンピュータ読み取り可能な記憶媒体の例としては、ＲＯＭ、ＲＡＭ、レジスタ、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤなどの光学媒体が含まれる。
【００７２】
適当な処理装置の例としては、汎用処理装置、専用の処理装置、従来の処理装置、ＤＳＰ（Digital Signal Processor）、複数のマイクロ処理装置、ＤＳＰコアに関連付けられた１つまたは複数のマイクロ処理装置、制御装置、マイクロ制御装置、ＡＳＩＣ（Application Specific Integrated Circuit）、ＡＳＳＰ（Application Specific Standard Product）ＦＰＧＡ（Field Programmable Gate Array）回路、他の任意の種別の集積回路（ＩＣ）、および／または状態マシンが含まれる。
【００７３】
無線送受信ユニット（ＷＴＲＵ）、ユーザ端末（ＵＥ）、端末、基地局、ＭＭＥ（Mobility Management Entity）もしくはＥＰＣ（Evolved Packet Core）、または任意のホスト・コンピュータにおいて使用するための無線周波数送受信機を実施するために、ソフトウェアに関連付けられた処理装置を使用することができる。ＷＴＲＵは、ハードウェア、および／またはＳＲＤ（Software Defined Radio：ソフトウェア無線）を含むソフトウェア、ならびに他の構成要素にて実施され、カメラ、ビデオ・カメラ・モジュール、テレビ電話、スピーカーフォン、振動デバイス、スピーカ、マイクロホン、テレビ送受信機、ハンズフリー受話器、キーボード、Ｂｌｕｅｔｏｏｔｈ（登録商標）モジュール、ＦＭ（周波数変調された）無線ユニット、ＮＦＣ（Near Field Communication）モジュール、ＬＣＤ（Liquid Crystal Display）表示ユニット、ＯＬＥＤ（Organic Light-Emitting Diode：有機発光ダイオード）表示ユニット、デジタル音楽プレーヤー、メディア・プレーヤー、テレビゲーム・プレーヤー・モジュール、インターネット・ブラウザ、および／または任意の無線ＬＡＮ（ＷＬＡＮ）モジュールもしくはＵＷＢ（Ultra Wide Band）モジュールなどのモジュールと連動して使用することができる。
【図１】
2014187696.tif 000003
【図２】
2014187696.tif 000004
【図３】
2014187696.tif 000005
【図４】
2014187696.tif 000006
【手続補正書】
【提出日】平成26年5月19日(2014.5.19)
【手続補正１】
【補正対象書類名】特許請求の範囲
【補正対象項目名】全文
【補正方法】変更
【補正の内容】
【特許請求の範囲】
【請求項１】
特有の参照信号を処理するｅｖｏｌｖｅｄ  Ｎｏｄｅ  Ｂ（ｅＮＢ）によって実行される方法であって、前記方法は、
物理ダウンリンク共有チャネル（ＰＤＳＣＨ）を構成する複数の時間／周波数リソース要素（ＲＥ）を含む直交周波数分割多元接続（ＯＦＤＭＡ）信号を送信するステップであって、前記ＲＥの一部は、ＷＴＲＵに特有の参照信号を伝達するために割り当てられる、ステップと、
前記ＷＴＲＵに特有の参照信号を異なるレイヤ上で受信するステップであって、前記ＷＴＲＵに特有の参照信号は相互に直交である、ステップと
を備え、
前記ＷＴＲＵに特有の参照信号に割り当てられるＲＥの位置および量は、送信のために使用されるレイヤの数に基づいて決定され、
前記ＷＴＲＵに特有の参照信号は、符号分割多重化を使用して多重化されることを特徴とする方法。
【請求項２】
前記ＷＴＲＵに特有の参照信号は、プレコードされることを特徴とする請求項１に記載の方法。
【請求項３】
物理アップリンク共有チャネル（ＰＵＳＣＨ）を構成する複数のＲＥを含むＯＦＤＭＡ信号を受信するステップであって、前記ＲＥの一部は、プレコードされたＷＴＲＵに特有の参照信号を伝達するために割り当てられる、ステップをさらに備えることを特徴とする請求項１に記載の方法。
【請求項４】
前記ＷＴＲＵに特有の参照信号の使用のために割り当てられるＲＥの位置および量はまた、割り当てられる帯域幅に基づいて決定されることを特徴とする請求項１に記載の方法。
【請求項５】
前記ＷＴＲＵに特有の参照信号の使用のために割り当てられるＲＥの位置および量はまた、多入力多出力（ＭＩＭＯ）構成に基づいて決定されることを特徴とする請求項１に記載の方法。
【請求項６】
前記ＷＴＲＵに特有の参照信号の使用のために割り当てられるＲＥの位置および量はまた、使用される多入力多出力（ＭＩＭＯ）モードまたは協調モードに基づいて決定されることを特徴とする請求項１に記載の方法。
【請求項７】
特有の参照信号を処理するｅｖｏｌｖｅｄ  Ｎｏｄｅ  Ｂ（ｅＮＢ）であって、
物理ダウンリンク共有チャネル（ＰＤＳＣＨ）を構成する複数の時間／周波数リソース要素（ＲＥ）を含む直交周波数分割多元接続（ＯＦＤＭＡ）信号を送信するように構成された送信機であって、前記ＲＥの一部は、ＷＴＲＵに特有の参照信号を伝達するために割り当てられる、送信機と、
前記ＷＴＲＵに特有の参照信号を異なるレイヤ上で受信するように構成された受信機であって、前記ＷＴＲＵに特有の参照信号は相互に直交である、受信機と
を備え、
前記ＷＴＲＵに特有の参照信号に割り当てられるＲＥの位置および量は、送信のために使用されるレイヤの数に基づいて決定され、
前記ＷＴＲＵに特有の参照信号は、符号分割多重化を使用して多重化されることを特徴とするｅＮＢ。
【請求項８】
前記ＷＴＲＵに特有の参照信号は、プレコードされることを特徴とする請求項７に記載のｅＮＢ。
【請求項９】
前記受信機は、物理アップリンク共有チャネル（ＰＵＳＣＨ）を構成する複数のＲＥを含むＯＦＤＭＡ信号を受信するようにさらに構成され、前記ＲＥの一部は、プレコードされたＷＴＲＵに特有の参照信号を伝達するために割り当てられる、ことを特徴とする請求項７に記載のｅＮＢ。
【請求項１０】
前記ＷＴＲＵに特有の参照信号の使用のために割り当てられるＲＥの位置および量はまた、割り当てられる帯域幅に基づいて決定されることを特徴とする請求項７に記載のｅＮＢ。
【請求項１１】
前記ＷＴＲＵに特有の参照信号の使用のために割り当てられるＲＥの位置および量はまた、多入力多出力（ＭＩＭＯ）構成に基づいて決定されることを特徴とする請求項７に記載のｅＮＢ。
【請求項１２】
前記ＷＴＲＵに特有の参照信号の使用のために割り当てられるＲＥの位置および量はまた、使用される多入力多出力（ＭＩＭＯ）モードまたは協調モードに基づいて決定されることを特徴とする請求項７に記載のｅＮＢ。
【請求項１３】
前記ＷＴＲＵに特有の参照信号は、チャネル品質インジケータ（ＣＱＩ）を計算するために使用されることを特徴とする請求項７に記載のｅＮＢ。
【請求項１４】
前記ＷＴＲＵに特有の参照信号を伝達するために割り当てられるＲＥの一部の周りに送信時間間隔（ＴＴＩ）におけるＰＤＳＣＨデータが多重化され、およびマッピングされることを特徴とする請求項７に記載のｅＮＢ。